(57)【要約】  本発明は、睫毛および/または眉毛に製品を塗布するためのブラシに関し、このブラシは、湾曲した長手方向軸に沿って延びるコア、特により合わせたコアと、コアによって把持された剛毛と、を備え、コアが、柄に固定されるように意図された近位端(40a)、および遠位端(40b)を有する剛毛を保持する部分(43)を備え、剛毛が包絡面を定める自由端を有し、包絡面が、コアが湾曲する前に、互いに異なる少なくとも1つの第1の切子面(60)および少なくとも1つの第2の切子面(45)を有する。
2018526178.tif 000002
【特許請求の範囲】
【請求項１】
睫毛および／または眉毛に製品（Ｐ）を塗布するためのブラシ（１０）であって、
−  湾曲した長手方向軸（Ｘ）に沿って延びるコア（４０）、特により合わせたコアと、
−  前記コア（４０）によって把持された剛毛（４１）と、
を備え、前記コアが、柄に固定されるように意図された近位端（４０ａ）、および遠位端（４０ｂ）を有する剛毛を保持する部分（４３）を備え、前記剛毛（４１）が包絡面（Ｓ）を定める自由端を有し、
前記包絡面（Ｓ）が、前記コアが湾曲する前に、互いに異なる少なくとも１つの第１の切子面（６０）および少なくとも１つの第２の切子面（４５）を有する、
ブラシ。
【請求項２】
前記第１の切子面（６０）が、前記コアの前記湾曲のくぼみに配置される、請求項１に記載のブラシ。
【請求項３】
前記第２の切子面（４５）は、前記第１の切子面（６０）よりも小さい、請求項１または２に記載のブラシ。
【請求項４】
少なくとも２つの第２の切子面（４５）を含む、請求項１から３のいずれか一項に記載のブラシ。
【請求項５】
２つの切子面（４５）が、前記コアの前記長手方向軸を含む平面に対して互いに対称である、請求項４に記載のブラシ。
【請求項６】
前記ブラシを断面で見るとき、第１および第２の切子面（６０、４５）が三角形を形成する、請求項１から５のいずれか一項に記載のブラシ。
【請求項７】
第１および／もしくは第２の切子面（６０、４５）、または両方の切子面が、前記剛毛を保持する前記コアの前記部分の前記近位端（４０ａ）で、前記柄の前記長手方向軸に対して垂直に配向する縁部（５０）によって画定される、請求項６に記載のブラシ。
【請求項８】
前記第１の切子面（６０）の幅（ｌ）が、前記剛毛を保持する前記コアの前記部分の前記遠位端（４０ｂ）の方向に減少する、請求項１から７のいずれか一項に記載のブラシ。
【請求項９】
前記包絡面（Ｓ）が、前記コアが湾曲する前に、少なくとも部分的に円錐台形またはオジバル形の全体形状を有する、請求項１から８のいずれか一項に記載のブラシ。
【請求項１０】
前記包絡面が、前記コアの前記自由端に向かって減少する断面を有する遠位円錐台形部分（４１）を含む、請求項１から９のいずれか一項に記載のブラシ。
【請求項１１】
前記包絡面が、遠位円錐台形部分（５１）と近位円錐台形部分（５３）との間に位置する円筒形の中央部分（５２）を含む、請求項１から１０のいずれか一項に記載のブラシ。
【請求項１２】
前記包絡面が、前記遠位端（４０ｂ）に位置する少なくとも１つの円形形状の断面を有する、請求項１から１１のいずれか一項に記載のブラシ。
【請求項１３】
前記コアの前記遠位端（４０ｂ）は、ブラシが取り付けられた柄の長手方向軸（Ｙ）上に位置している、請求項１２に記載のブラシ。
【請求項１４】
前記コア（４０）が、その近位端（４０ａ）で柄に固定される、請求項１から１３のいずれか一項に記載のブラシ。
【請求項１５】
塗布される製品を入れた容器（２）と、請求項１から１４のいずれか一項に記載のブラシ（１０）と、を備える、パッケージングおよび塗布装置（１）。
【発明の詳細な説明】
【技術分野】
【０００１】
本発明は、睫毛または眉毛に化粧品を塗布するためのブラシ、特に、メーキャップまたはケア製品、たとえば、マスカラと、そのようなブラシを含むパッケージングおよび塗布装置とに関する。
【背景技術】
【０００２】
その中のブラシが、一緒により合わせられ、剛毛をつかむ、金属ワイヤの2つのアームによって形成されたコアを備える、多数のアプリケータが知られている。使用される剛毛は、一般的に同じ長さであるので、分枝はより合わせられると、ブラシは回転柱面の形状の包絡面を有する。そのような回転柱面形状は、睫毛に製品を載せること、および分けることに関して限られた効果を有する。
【０００３】
したがって、より多量に製品を載せられるゾーンであって、睫毛に適切に載せることができるゾーンと、あまり多量に載せられない、または少し載せられるゾーンであって、睫毛を分けるために使用できるゾーンとを、拭い取り後にブラシ上に形成するために、包絡面をより複雑な形状にする努力が行われてきた。多くのファクタが関与するので、最適なメーキャップ結果をもたらす形状を見つけるには、多数の試験を必要とする。
【０００４】
加えて、ブラシを迅速かつ容易に製造できることが、経済的に有利である。
【０００５】
コアの長手方向に切れ込みを機械加工された多数のブラシが提案されている。
【０００６】
特許出願である特許文献１、特許文献２、および特許文献３は、全体的に楕円の輪郭を有する、コアに対して平行な実質的にフラットな切子面を備えることができるマスカラブラシを開示する。これらの出願では、1つの同じブラシの切子面はすべて同一である。
【０００７】
出願である特許文献４および特許文献５では、作成された切り取り部(cutout)は、互いに対称をなす。
【０００８】
特許出願である特許文献６は、その長さの少なくとも一部に沿って、直線的長手方向軸および多角形断面を有するマスカラブラシを開示する。
【０００９】
特許文献７は、直線的長手方向軸を有し、ブラシがコアの周りにレリーフと交互になったくぼみを備えるように配置された切子面を備えるマスカラブラシを開示する。
【先行技術文献】
【特許文献】
【００１０】
【特許文献１】欧州特許出願公開第１２３６４１９号明細書
【特許文献２】欧州特許出願公開第１２３６４２０号明細書
【特許文献３】欧州特許出願公開第１２３６４２１号明細書
【特許文献４】欧州特許出願公開第０８３２５８０号明細書
【特許文献５】欧州特許出願公開第０８４２６２０号明細書
【特許文献６】仏国特許出願公開第２９１６９５０号明細書
【特許文献７】仏国特許出願公開第３００７６３０号明細書
【発明の概要】
【発明が解決しようとする課題】
【００１１】
睫毛の列全体に沿った、特に目の角での、メーキャップの塗布をより簡単にする必要がある。
【００１２】
またブラシを改善する必要があり、特に、製品を十分に載せること、および満足なコーミングをもたらすことによって、睫毛および眉毛を満足にメーキャップすることが可能なブラシから恩恵を受ける必要がある。
【課題を解決するための手段】
【００１３】
本発明は、これらの必要の全部または一部を満たすことを目指しており、したがって、その対象は、上記から独立して、または上記と組み合わせて、その態様の1つによれば、睫毛および/または眉毛に製品を塗布するためのブラシに関し、このブラシは、
−  湾曲した長手方向軸Xに沿って延びるコア、特により合わせたコアと、
−  コアによって把持された剛毛と、を備え、コアが特に、柄に固定されるように意図された近位端、および遠位端を有する剛毛を保持する部分を備え、剛毛が包絡面を定める自由端を有し、
包絡面は、コアが湾曲する前に、互いに異なる少なくとも1つの第1の切子面および少なくとも1つの第2の切子面を有する。
【００１４】
第1の切子面は、コアの湾曲のくぼみに配置されてもよい。したがって、コアの湾曲に製品のより大量の蓄えを構成することを可能にすることができる領域を形成することが可能である。
【００１５】
第2の切子面は、その異なる位置およびその異なる形状のために、異なるメーキャップ特性をもたらす。
【００１６】
「切子面」という用語は、視認できる縁部によって画定される、ブラシの包絡面における切り取り部を示す。切子面は、好ましくは、コアの長手方向軸に対して垂直な平面に延び、たとえば、コアの長手方向軸と共面の準線に沿って移動する母線によって定められる。切子面は、フラットである、またはたとえば、外側に向かって凹状もしくは凸状の湾曲を有する非フラットである場合がある。そのような湾曲は、直線または曲線である母線の形状によって決まり得る。変形態では、切子面の湾曲は、変化することができ、後者はたとえば波状である。
【００１７】
「互いに異なる切子面」という表現は、第1および第2の切子面が、それらの幅、長さ、深さ、コアからの距離、およびコアに対する傾斜のうちの少なくとも1つにより互いに異なることを意味するものと理解されたい。
【００１８】
第2の切子面は、第1の切子面よりも小さくてもよい。「より小さい」という用語は、その幅および/またはその長さおよび/またはその深さのうちの少なくとも1つが、第1の切子面の幅および/または長さおよび/または深さよりも小さいことを意味する。
【００１９】
変形態では、または追加として、コアからの第2の切子面の距離は、コアからの第1の切子面の距離よりも大きくてもよい。したがって、第2の切子面は、第1の切子面よりもコアからより遠くに離れており、したがって拭い取り部材を通過時により激しい拭い取りを受ける場合がある。
【００２０】
第2の切子面によって占められる面積は、第1の切子面によって占められる面積とは、10%を超えて異なってもよく、すなわち、|S1-S2|/S1≧0.1、ここでS1は第1の切子面の面積であり、S2は第2の切子面の面積である。|S1-S2|/S1≧0.2、またはさらには|S1-S2|/S1≧0.3が可能である。断面のコアの長手方向軸からわかるように、各第1または第2の切子面は、好ましくは軸を中心として120°未満の角度範囲にわたって広がる。これは、各切子面がブラシの一方の側に位置することを確保する。
【００２１】
ブラシは、少なくとも2つの第2の切子面を備えてもよい。2つの第2の切子面は、第1の切子面よりも小さくてもよい。2つの第2の切子面は、コアの長手方向軸を含む平面に対して互いに対称であってもよい。ブラシを断面で見るとき、第1および第2の切子面は、三角形を形成してもよい。
【００２２】
第1および/もしくは第2の切子面、または両方の切子面は、切子面の長さの少なくとも一部に沿って、またはさらには切子面の全長に沿って、剛毛を保持するコアの部分の近位端の方向に増大する幅を有してもよい。
【００２３】
第1および/もしくは第2の切子面、または両方の切子面は、切子面の長さの少なくとも一部に沿って、剛毛を保持するコアの部分の遠位端の方向に減少する幅を有してもよい。
【００２４】
切子面の幅lは、コアの長手方向軸に沿って測定されたその全長に沿って、または他の場合は後者の一部のみに沿って、減少してもよい。切子面の幅lは、その長さL2の少なくとも半分に沿って、またはさらにはその長さL2の少なくとも2/3に沿って、さらに良くはその長さL2の少なくとも3/4に沿って減少してもよい。切子面の幅lは、剛毛を保持するコアの部分の遠位端に向かって、増大し、次いで減少し、次いで再び増大する、または他の場合は減少し、次いで増大してもよい。
【００２５】
切子面の最も広い部分は、剛毛を保持するコアの部分の遠位端よりも近位端の近くに、さらに良くは、近位端に対して、剛毛を保持するコアの部分の長さLの3分の1未満、またはさらには4分の1未満までに位置していてもよい。
【００２６】
例示的な一実施形態では、第1の切子面の幅lは、剛毛を保持するコアの部分の遠位端の方向に減少する。
【００２７】
第1および/または第2の切子面は、剛毛を保持するコアの部分の全長Lに沿って、または他の場合は後者の一部のみに沿って、たとえば、この長さLの少なくとも50%、さらに良くは少なくとも60%、またはさらには少なくとも70%に沿って広がってもよい。切子面は、剛毛を保持するコアの部分の長さLの95%未満に沿って、または90%未満に沿って、またはさらには80%未満に沿って広がってもよい。
【００２８】
第1の切子面は、特に、剛毛を保持するコアの部分の全長Lに沿って広がってもよい。
【００２９】
第2の切子面は、剛毛を保持するコアの部分の長さLの90%未満に沿って、または80%未満に沿って、またはさらには70%未満に沿って広がってもよい。
【００３０】
第1および/もしくは第2の切子面、または両方の切子面は、特に、剛毛を保持するコアの部分の近位端まで広がってもよい。
【００３１】
第1および/もしくは第2の切子面、または両方の切子面は、特に、剛毛を保持するコアの部分の近位端で、柄の長手方向軸に対して垂直に配向する縁部によって画定されてもよい。そのような縁部の存在は、メーキャップの塗布の精度を向上させることを可能にし、詳細には、目の、特に目の角の、さらにより詳細には目の内側の角のメーキャップをより容易にすることができる。
【００３２】
第1の切子面の幅は、剛毛を保持するコアの部分の遠位端の方向に減少してもよい。
【００３３】
第2の切子面の幅は、剛毛を保持するコアの部分の遠位端の方向に減少してもよい。
【００３４】
第1および/または第2の切子面は、コアの長手方向軸Xに平行に広がってもよい。これは、コアが湾曲する前に、切子面が各々、コアの長手方向軸Xに平行な平面に作成されることを意味する。包絡面にはコアの長手方向軸Xに平行ではない切子面がないことがあり得る。
【００３５】
変形態では、または追加として、包絡面は、長手方向に広がる、遠位端の方向にコアの長手方向軸Xに対して傾斜している少なくとも1つの切子面を定めてもよい。それは、第1および/もしくは第2の切子面、またはさらには第3の切子面であってもよい。
【００３６】
「傾斜して」という用語は、ブラシのコアが観測のためにまっすぐにされると、切子面の全体的な方向が、コアの長手方向軸と角度を形成することを意味するものと理解されたい。対応する切子面を定める母線は、特に、コアの長手方向軸に平行ではない、特に、後者に対して直線的に角度をなしている、または湾曲している準線に沿って動いてもよい。
【００３７】
第1および第2の切子面のうちの少なくとも1つは、コアの遠位端の方向に傾斜していてもよい。これは、ブラシのコアが観測のためにまっすぐにされると、コアの長手方向軸に対する切子面の傾斜が、ブラシの遠位端に向かって切子面がコアの長手方向軸に近づくようになっていることを意味する。ブラシの切子面の全部が、遠位端の方向に傾斜していてもよい。ブラシには近位端の方向に傾斜した切子面がないことがあり得る。
【００３８】
変形態では、または追加として、第1および第2の切子面のうちの少なくとも1つは、コアの近位端の方向に傾斜していてもよい。これは、ブラシのコアが観測のためにまっすぐにされると、コアの長手方向軸に対する切子面の傾斜が、ブラシの近位端に向かって切子面がコアの長手方向軸に近づくようになっていることを意味する。ブラシの切子面の全部が、近位端の方向に傾斜していてもよい。ブラシには遠位端の方向に傾斜した切子面がないことがあり得る。
【００３９】
ブラシのコアが観測のためにまっすぐにされると、切子面は、柄の長手方向軸に対して5度〜35度、さらに良くは10度〜20度の角度αで傾斜していてもよい。これは、ブラシのコアが観測のためにまっすぐされると、切子面が、直線をなし、柄の長手方向軸Xに対して上記の角度αだけ傾斜している準線Dを有することを意味する。切子面は、この準線Dに沿った母線の動きによって形成される。母線は、たとえば、切子面をカットするためのツールの回転軸に沿って延びてもよく、ツールは円筒形状を有し、カッティングの間、準線Dに沿って動いてもよい。
【００４０】
包絡面は、コアが湾曲する前に、少なくとも部分的に円錐台形またはオジバル形(ogival)の全体形状を有してもよい。これは、包絡面上に、コアから異なる距離に位置し、したがって異なるように拭い取られる領域を有することを可能にすることができる。最も多く載せられる領域は、睫毛に製品を載せるために使用することができ、あまり載せられない領域は、睫毛を分けるために使用することができる。
【００４１】
包絡面は、コアの自由端に向かって減少する断面を有する遠位円錐台形部分(distal frustoconical portion)を含んでもよい。長手方向軸Xに対する円錐の角度βは、5度〜35度、さらに良くは10度〜20度の値を有してもよい。遠位円錐台形部分は、剛毛を保持するコアの部分の長さLの4分の1よりも大きい、さらに良くは剛毛を保持するコアの部分の長さLの3分の1よりも大きい、さらになお良くは剛毛を保持するコアの部分の長さLの半分よりも大きい長さに沿って広がってもよい。
【００４２】
包絡面は、完全に多角形というわけではない形状の、特に少なくとも部分的に円形形状の、特に遠位端において円形形状の、少なくとも1つの断面を有してもよい。「遠位端において」という表現は、上記の少なくとも1つの断面が、剛毛を保持するコアの部分の近位端よりも遠位端に近い、言い換えれば、剛毛を保持するコアの部分の遠位端から1/2L未満、および剛毛を保持するコアの部分の近位端から1/2Lを超える位置にあることを意味し、ここでLは、剛毛を保持するコアの部分の、その近位端とその遠位端との間で測定された長さである。上記の少なくとも1つの断面は、剛毛を保持するコアの部分の遠位端から長さLの3分の1未満、またはさらには4分の1未満にあってもよい。絶対的には、長さLは、15mm〜45mm、さらに良くは20mm〜40mm、たとえば、25mm〜35mmであってもよい。
【００４３】
ブラシには先端の形態の遠位端がないことがあり得る。ブラシは少なくともその遠位端において、完全に角柱というわけではない形状を有してもよい。
【００４４】
円形断面は、剛毛を保持するコアの部分の遠位端から1/3L未満に、かつ剛毛を保持するコアの部分の近位端から2/3Lを超えて位置するコア上のポイントにおいて作成されてもよい。円形断面は、剛毛を保持するコアの部分の遠位端から1/4L未満に、かつ剛毛を保持するコアの部分の近位端から3/4Lを超えて位置するコア上のポイントにおいて作成されてもよい。
【００４５】
ブラシには、特にその遠位端において、長方形形状を有するどんな断面もないことがあり得る。
【００４６】
コアは、剛毛を保持するコアの部分の全長に沿って湾曲していてもよい。コアの曲率は、不変または可変であってもよい。曲率半径は、たとえば、20mm〜60mmである。ブラシが湾曲しているので、ブラシは、くぼみにより多く載せること、および凸側でより優れたコーミングおよび分離を行うことができる。コアの遠位端は、ブラシが取り付けられた柄の長手方向軸Y上に位置していてもよい。
【００４７】
ブラシは、角柱の、特に実質的には三角形の、全体形状を有する少なくとも1つの断面を含んでもよく、この断面は、特に、剛毛を保持するコアの部分の近位端の近くに位置している。角柱の全体形状を有する断面は、剛毛を保持するコアの部分の遠位端よりも近位端の近くに、さらに良くは近位端に対して、剛毛を保持するコアの部分の長さLの3分の1未満、またはさらには4分の1未満に位置していてもよい。
【００４８】
ブラシは、その近位端に近位円錐台形部分を含んでもよく、円錐台形部分は、剛毛を保持するコアの部分の近位端からの距離が増えるにつれて広くなる。一実施形態では、第1および/もしくは第2の切子面、または両方の切子面は、近位円錐台形部分にわたって広がる。
【００４９】
ブラシは、遠位円錐台形部分と近位円錐台形部分との間に位置する円筒形の中央部分もまた備えてもよい。一実施形態では、第1および/もしくは第2の切子面、または両方の切子面は、円筒形の中央部分を包含する。各切子面は、たとえば、円錐台形部分の少し前で、または円錐台形部分と同じレベルで止まる。
【００５０】
ブラシは、その近位端および/または遠位端で面取りされてもよい。例示的な一実施形態では、ブラシは、その遠位端およびその近位端で、面取りされる。
【００５１】
切子面
切子面によって、本発明によるブラシは、特に、睫毛および/または眉毛に製品を補充するために、その長さの一部に沿ってより多くの製品を蓄えることができる。
【００５２】
第1の切子面は、長さL2を有してもよく、ここでL2≧L/2、Lは剛毛を保持するコアの部分の長さである。好ましくは、第1の切子面の長さL2は、L2≧2/3Lのようである。例示的な一実施形態では、L2はLに等しい。これは、剛毛を保持するコアの長さの大部分に沿って広がる第1の切子面を有することを可能にし、したがって特に、最小限の手の動きで睫毛の大部分に対する所望の効果を得ることを可能にする。
【００５３】
第2の切子面は、長さL3を有してもよく、ここでL3≧L/2である。
【００５４】
第1の切子面は、その長さL2の少なくとも一部に沿って一定である幅lを有してもよい。第1の切子面の幅lは、1mm〜4mm、さらに良くは1.5mm〜3.5mmであってよい。
【００５５】
切子面は断面が、フラットな底部または外側に向かって凸状の底部を有してもよい。
【００５６】
切子面を除けば包絡面は、円筒形であってもよい。切子面を除けば包絡面は、回転面であってもよい。
【００５７】
包絡面は、コアの長手方向軸Xに対して対称であってもよい。変形態では、包絡面は、軸対称を示さない。
【００５８】
ブラシのコアは、好ましくはその近位端で柄に固定される。柄は、その他方の端部で、容器のクロージャキャップに固定されてもよい。
【００５９】
好ましくは、コアは、より合わせたコアである。「より合わせたコア」という表現は、従来の方法で金属ワイヤの2つのアームを一緒により合わせることによって形成されたコアを意味するものと理解されたい。
【００６０】
装置
本発明のさらなる対象は、
−  塗布される製品を入れた容器と、
−  本発明によるブラシと、
を備えるパッケージングおよび塗布装置である。
【００６１】
容器は、柄およびブラシ上にある余分な製品を取り除くための拭い取り部材を設けられてもよい。この拭い取り部材は、たとえば、好ましくは円形断面の拭い取り開口部(wiping orifice)を定め、その直径が柄の直径に実質的に対応する、エラストマー材料から作られたリップを備える。
【００６２】
製造方法
本発明のさらなる対象は、本発明によるブラシを製造するための方法であり、この方法は、
−  直線のコアを有し、特により合わせたコアを有し、特にコアが湾曲する前に、非円筒形状、好ましくは回転対称形状、特に少なくとも部分的に円錐台形またはオジバル形の全体形状を有する包絡面を有するブラシブランク(blank)を生成するステップと、
−  本発明による切子面を得るために剛毛をカットするステップと、
−  コアを湾曲させるステップと、
を含む。
【００６３】
好ましくは、コアは、第1の切子面がコアの湾曲のくぼみに配置されるように、第1の切子面では湾曲している。
【００６４】
コアは、たとえば、第1の切子面の中間平面(median plane)において湾曲している。
【００６５】
切子面は、コアの長手方向軸に対して平行な軸に沿ってと、コアの長手方向軸に対して垂直な軸に沿っての両方でカッティングツールを動かすことによって形成され得る。
【００６６】
変形態では、または追加として、切子面は、コアの長手方向軸に対して垂直な軸、特に切子面に対して平行な軸を中心としてカッティングツールを動かすことによって形成され得る。
【００６７】
カッティングツールは、好ましくは切子面に対して平行または垂直な回転軸を有する。
【００６８】
本発明は、添付の図面を確認しながら、非限定的な例示的実施形態の以下の詳細な説明を読めば、より良く理解できよう。
【図面の簡単な説明】
【００６９】
【図１】本発明によるパッケージングおよび塗布装置の一例を概略的および部分的な縦断面で示す図である。
【図２】本発明によるブラシの一例の側面図である。
【図３】コアが湾曲する前の、図2によるブラシの図である。
【図４】矢印IVに沿った図である。
【図５】図2によるブラシのブランクの、図3と同様の図である。
【図６】図2によるブラシのブランクの、図4と同様の図である。
【図７】本発明による変形ブラシの、図2と同様の図である。
【図８】コアが湾曲する前の、矢印VIIIに沿った図である。
【図９】コアが湾曲する前の、矢印IXに沿った図である。
【図１０】矢印Xに沿った図である。
【図１１】図7によるブラシのブランクの、図5と同様の図である。
【図１２】図7によるブラシのブランクの、図6と同様の図である。
【発明を実施するための形態】
【００７０】
説明の残りでは、同一の要素、または同一の機能を有する要素に、同じ参照符号が記載されている。それらの説明は、図の各々について繰り返されず、実施形態間の主要な違いについてのみ言及される。
【００７１】
図1に示すパッケージングおよび塗布装置1は、睫毛または眉毛に塗布される製品Pを入れた容器2と、当該の例では容器2に着脱可能に固定され得るアプリケータ3とを備える。製品Pは、たとえば、1つまたは複数の顔料、詳細には酸化鉄を含む。それは、たとえば、マスカラである。
【００７２】
アプリケータ3は、長手方向軸Yの柄5を備え、この柄5は、遠位端5aに本発明によるブラシ10を設けられ、他端にグリップ部材11が設けられ、グリップ部材11はまた、密閉して容器2を閉じるためのキャップを形成する。特に図1でわかるように、後者は、上部にねじ山付きネック14を設けられた本体13を備え、容器2を密閉して閉じるために、ねじ山付きネック14にグリップ部材11をねじ込むことができる。変形態では、アプリケータは、他の方法で容器に固定することができる。
【００７３】
ネック14は、図示のように、拭い取り部材20を収容してもよく、拭い取り部材20は、たとえば、ネック14に挿入される。この拭い取り部材20は、柄5の直径に適合する直径を有する拭い取り開口部を定めるリップ26を備える。
【００７４】
ブラシ10は、有利には熱可塑性材料から作られた柄5の遠位端5aに設けられたシートに、従来の方法で、固定することができる。ブラシ10は、剛毛41を保持する部分43を含むより合わせた金属コア40を含む。コアは、近位端40aで、剛毛のない部分によって柄5の対応するハウジングに固定され、上記の部分は約8mmの長さを有することが可能である。剛毛を保持するコアの部分43は、自由端40bを有する。
【００７５】
剛毛41の自由端は、図2に示すように、ブラシ10の包絡面Sを定める。剛毛41は、好ましくは25mm〜35mmの、たとえば、30mmに等しいコアの長さLに沿って広がる。
【００７６】
コア40は、従来通り、U字形状に折り畳まれた金属ワイヤの2つのアームで形成され、剛毛41は、コア40のより(turn)の間に把持される。金属ワイヤの直径は、たとえば、0.1mm〜1mmである。剛毛の直径は、たとえば、0.06mm〜0.35mmである。
【００７７】
本発明によるブラシ10のコア40は、湾曲しており、湾曲した長手方向軸Xに沿って延びる。コア40は、説明する例では、長手方向軸Xを含み、以下で説明する第1の切子面60に垂直な平面である平面Pにおいて湾曲している。この平面Pは、ブラシの対称面である。ブラシは、部分43の全長に沿って湾曲しており、コアの遠位端40bは、長手方向軸X上に、および柄の長手方向軸Y上に位置している。
【００７８】
さらに、図2〜図6に示すように、包絡面Sは、コアが湾曲する前に、図3および図4に示すように、コアの長手方向軸Xに平行に、剛毛を保持するコアの部分の長さLに等しい長さL2に沿って広がる第1の切子面60を含む。コアが湾曲した後、第1の切子面60は、図2に示すように、コアの湾曲のくぼみに配置される。コアは、図2の平面である平面Pにおいて湾曲しており、上記の平面Pは、切子面60の平面Qに対して垂直である。平面Pは、第1の切子面の中間平面である。
【００７９】
第1の切子面60は、剛毛を保持するコアの部分43の遠位端40bの方向に減少する幅lを有する。
【００８０】
包絡面Sはまた、コアの長手方向軸を含む平面Pに対して互いに対称であり、ブラシを断面で見るとき、第1の切子面60とともに三角形を形成する、2つの第2の切子面45を含む。
【００８１】
説明する例では、3つの切子面45および60が、長手方向に広がり、各々がコアの長手方向軸Xに平行な平面において広がる。
【００８２】
これらの第2の切子面45は、第1の切子面60とは異なる。これらは、剛毛を保持するコアの部分43の長さLの約60%に対応するそれらの長さL3によってそれと異なる。それらの幅eもまた、第1の切子面60の幅lよりも小さい。
【００８３】
さらに、2つの第2の切子面45の深さは、第1の切子面60の深さよりも小さい。言い換えれば、コアから第2の切子面45の距離d2は、図4でわかるように、コアから第1の切子面60の距離d1よりも大きい。したがって、第2の切子面45は、第1の切子面60よりもコアからより遠くに離れている。
【００８４】
切子面45は、剛毛を保持するコアの部分43の遠位端40bの方向に減少する幅lを有する。
【００８５】
第1の切子面60および2つの第2の切子面45は、コアの長手方向軸Xに垂直であり、近位端40bに位置する縁部50によって一部を画定される。説明する例では、切子面45および切子面60は、それらの近位端では接していない。ブラシの断面は、ブラシの近位端40aでは実質的に三角形状を有する。
【００８６】
断面のコアの長手方向軸からわかるように、各第1の切子面60または第2の切子面45はそれぞれ、120°未満の角度範囲γ1およびγ2にわたって軸Xを中心として広がる。
【００８７】
包絡面Sは、円形形状を有する少なくとも1つの断面を有する。説明する例では、この円形断面は、遠位端40bの近くに位置する。
【００８８】
包絡面Sは、図2によるブラシのブランクが示された図5および図6でわかるように、コアが湾曲する前は、部分的に円錐台形の全体形状を有する。より詳細には、包絡面は、コアの自由端に向かって減少する断面を有する遠位円錐台形部分51と、コアの近位端に向かって減少する断面を有する近位円錐台形部分53と、遠位円錐台形部分51と近位円錐台形部分53との間に位置する円筒形の中央部分52とを含む。
【００８９】
長手方向軸Xに対する遠位円錐台形部分51の円錐の角度βは、約15°の値を有してもよい。
【００９０】
ブラシが内接する最も小さい回転柱面の半径に対応する、包絡面Sの最大半径Rは、3mm〜6mm、たとえば、4.5mmである。
【００９１】
図7〜図12に示す変形実施形態では、ブラシ10は、切子面45および切子面60を除けば、凸状輪郭を持つ全体形状を有する。切子面の形成の前、およびコアが湾曲する前の、図11および図12に示すこのブラシのブランクは、一部はオジバル形状(ogival shape)を有することがわかる。
【００９２】
図7〜図12に示すこの変形実施形態はまた、切子面45の延長に位置する2つの第3の切子面65であって、その長さはL−L3であり、その幅はブラシの遠位端40bに向かって増大する2つの第3の切子面65の存在により上記とは異なる。
【００９３】
さらに、切子面60は、この例では、長手方向軸Xに関して切子面45および切子面65に対して45°に位置している。
【００９４】
一般に、包絡面は、異なる数の切子面を含むことができ、後者は互いに同一ではない、および/またはコア40の周りに一様に分散していないことがあり得る。
【００９５】
包絡面Sの端部40aおよび端部40bは、面取りすることができる。これは、ブラシ3が拭い取り部材20を通過するのを容易にすることができる。遠位端での面取りと近位端での面取りは、異なるものとすることができる。遠位端での面取りは、特に、近位端での面取りほど傾斜していないものとすることができる。変形態では、ブラシには端部にそのような面取りがないことがあり得る。
【００９６】
本発明は、まさに説明した例示的な実施形態に限定されず、その特性は、例示していない変形態の部分として互いに組み合わせられてもよい。
【符号の説明】
【００９７】
1  パッケージングおよび塗布装置
2  容器
3  アプリケータ
5  柄
10  ブラシ
11  グリップ部材
13  本体
14  ねじ山付きネック
20  拭い取り部材
26  リップ
40  コア
41  剛毛
43  剛毛を保持する部分
45  第2の切子面
50  縁部
51  遠位円錐台形部分
52  円筒形の中央部分
53  近位円錐台形部分
60  第1の切子面
65  第3の切子面
【図１】
2018526178.tif 000003
【図２】
2018526178.tif 000004
【図３】
2018526178.tif 000005
【図４】
2018526178.tif 000006
【図５】
2018526178.tif 000007
【図６】
2018526178.tif 000008
【図７】
2018526178.tif 000009
【図８】
2018526178.tif 000010
【図９】
2018526178.tif 000011
【図１０】
2018526178.tif 000012
【図１１】
2018526178.tif 000013
【図１２】
2018526178.tif 000014
【国際調査報告】
2018526178.tif 000015
2018526178.tif 000016
2018526178.tif 000017